(57)【要約】      （修正有）【課題】表示パネルの前面にタッチパネルを配設しても、組立が容易であって品質を損なわない表示パネルユニットを備えた電子機器を提供する。【解決手段】表示パネルユニットは、表示パネル１１５ｂと、それよりも少なくとも一部の外形が大きい関連部材１１５ｃと、表示パネル１１５ｂを収納する第１収納部Ｘ１と関連部材１１５ｃを表示パネル１１５ｂに積層した状態で収納する第２収納部Ｘ２からなる枠体１１５ｄとを備える。枠体１１５ｄは底面部１１５ｄ１と、その端縁から立ち上がる側面部１１５ｄ２とを有し上面が開口する箱状の形状であり、側面部１１５ｄ２の上部が外方に突出するように段状に形成されている。底面部１１５ｄ１と側面部１１５ｄ２とで形成される内部空間のうち底面部１１５ｄ１と側面部１１５ｄ２の上部以外の部分とで形成される空間が第１収納部Ｘ１を構成し、内部空間のうち第１収納部Ｘ１以外の空間が第２収納部Ｘ２を構成する。【選択図】図９
2011257742.tif 000002
【特許請求の範囲】
【請求項１】
表示パネルと、
前記表示パネルよりも少なくとも一部の外形が大きいパネル状の関連部材と、
前記表示パネルを収納する第１収納部と、前記関連部材を前記表示パネルに積層した状態で収納する第２収納部と、を有する金属製の枠体と、
を備え、
前記枠体は、底面部と、該底面部の端縁から立ち上がる側面部とを有し、上面が開口する箱状の形状を有するとともに、前記側面部は、その上部が外方に突出するように、段状に形成されており、
前記底面部と前記側面部とで形成される内部空間のうち前記底面部と前記側面部の前記上部以外の部分とで形成される空間が前記第１収納部を構成し、前記内部空間のうち前記第１収納部以外の空間が前記第２収納部を構成する、
ことを特徴とする表示パネルユニット。
【請求項２】
前記側面部の所定部分のみが段状に形成されている、
ことを特徴とする請求項１に記載の表示パネルユニット。
【請求項３】
前記関連部材は、タッチパネルである、
ことを特徴とする請求項１に記載の表示パネルユニット。
【請求項４】
前記表示パネルは、液晶パネルと、該液晶パネルに重ねられる複数の部材を含むバックライトとを有し、
前記枠体は、前記バックライトを構成する複数の部材を収容するための枠体により構成される、
ことを特徴とする請求項１に記載の表示パネルユニット。
【請求項５】
請求項１から請求項４のいずれか１項に記載の表示パネルユニットを備えた、
ことを特徴とする電子機器。
【請求項６】
請求項１から請求項４のいずれか１項に記載の表示パネルユニットを備え、
前記枠体を電気的に接地電位に接続する、
ことを特徴とする電子機器。
【請求項７】
請求項１から請求項４のいずれか１項に記載の表示パネルユニットを備え、
前記枠体を放熱部材とする、
ことを特徴とする電子機器。
【請求項８】
筐体外部に突出可能な突出部が自装置の正面側に設けられ、
請求項１から請求項４のいずれか１項に記載の表示パネルユニットが自装置の背面側に設けられている、
ことを特徴とする電子機器。
【発明の詳細な説明】
【技術分野】
【０００１】
本発明は、表示パネルと関連部材を一体化した表示パネルユニット、及びこれを備えた電子機器に関する。
【背景技術】
【０００２】
デジタルカメラのような電子機器には種々の情報を表示するための液晶表示パネルユニットが備えられることがある。特許文献１には、このような液晶表示パネルユニットが開示されている。特許文献１に記載の液晶表示パネルユニット（液晶表示モジュールユニット）は、液晶表示パネルと、複数枚の光学フィルムを有するバックライトと、これらを積層した状態で収容可能な枠状の筐体とを備える。
【先行技術文献】
【特許文献】
【０００３】
【特許文献１】特開２００８−２８１８３５号公報
【発明の概要】
【発明が解決しようとする課題】
【０００４】
近時の電子機器においては、液晶表示パネルの前面にタッチパネルを配設するものもある。この場合、電子機器の製造工程においてタッチパネルと液晶表示パネルとの位置決めを正確に行なう必要がある。しかし、特許文献１のような構造の液晶表示パネルユニットにおいては、タッチパネルを液晶表示パネルの前面に配設する際に位置決めを正確に行なおうとすると、治具等を用いる必要があり、組立が容易でない。
【０００５】
本発明は、前記課題に対処するものであり、表示パネルの前面にタッチパネルが配設されたとしても、組立が容易でかつ品質を損なわない表示パネルユニット及びこの表示パネルユニットを備えた電子機器を提供することを目的とする。
【課題を解決するための手段】
【０００６】
本発明の第１の態様において、表示パネルユニットが提供される。この表示パネルユニットは、表示パネルと、表示パネルよりも少なくとも一部の外形が大きいパネル状の関連部材と、表示パネルを収納する第１収納部と、関連部材を表示パネルに積層した状態で収納する第２収納部と、を有する金属製の枠体と、を備える。枠体は、底面部と、底面部の端縁から立ち上がる側面部とを有し、上面が開口する箱状の形状を有する。さらに、側面部は、その上部が外方に突出するように、段状に形成されており、底面部と側面部とで形成される内部空間のうち底面部と側面部の上部以外の部分とで形成される空間が第１収納部を構成し、前記内部空間のうち前記第１収納部以外の空間が第２収納部を構成する。
【０００７】
本発明の第２の態様において、第１の態様の表示パネルユニットを備えた電子機器が提供される。
【発明の効果】
【０００８】
本発明によれば、枠体に、表示パネルを収納する第１収納部に加え、関連部材を表示パネルに積層した状態で収納する第２収納部を設けたので、関連部材を第２収納部に配設するだけで当該関連部材を前記表示パネルに対して所定の位置に位置決めすることができる。したがって、位置決めのために治具等を用いる必要がなくなり、表示パネルユニットの組立が容易となる。
【図面の簡単な説明】
【０００９】
【図１】本発明の実施の形態に係るデジタルカメラの六面図
【図２】本発明の実施の形態に係るデジタルカメラの第１の分解斜視図
【図３】本発明の実施の形態に係るデジタルカメラの第２の分解斜視図
【図４】本発明の実施の形態に係るデジタルカメラの第３の分解斜視図
【図５】本発明の実施の形態に係るデジタルカメラの左右方向断面図
【図６】本発明の実施の形態に係るデジタルカメラの上下方向断面図
【図７】本発明の実施の形態に係る液晶表示パネルユニットの分解斜視図
【図８】本発明の実施の形態に係る液晶表示パネルユニットの左右方向断面図
【図９】本発明の実施の形態に係る液晶表示パネルユニットの左右の端部の左右方向拡大断面図
【図１０】本発明の実施の形態に係る液晶表示パネルユニットの上下方向断面図
【図１１】本発明の実施の形態に係る液晶表示パネルユニットのバックライトの分解斜視図
【図１２】従来の液晶表示パネルユニットの左右の端部の左右方向拡大断面図
【発明を実施するための形態】
【００１０】
以下、添付の図面を参照して本発明の実施形態を説明する。
（実施の形態）
１．外観
以下、デジタルカメラを例として、本発明の実施の形態を詳細に説明する。図１は、本発明の実施の形態に係るデジタルカメラの六面図である。ここで、デジタルカメラは、電子機器の一例である。図１（ａ）は正面図であり、図１（ｂ）は背面図である。また、図１（ｃ）は上面図であり、図１（ｄ）は底面図である。図１（ｅ）は左側面図であり、図１（ｆ）は右側面図である。ここで、以下の説明において「左」、「右」というときは、デジタルカメラを正面から見たときの左右を示す。
【００１１】
図１（ａ）に示すように、デジタルカメラの正面には、レンズ鏡筒１０１が配されている。レンズ鏡筒１０１は、被写体光をデジタルカメラ内の撮像素子に導くものであって、フォーカスレンズ、ズームレンズ、絞り等、複数の光学部材を含む。レンズ鏡筒１０１は、デジタルカメラの使用時において延伸して筐体表面から突出するが、デジタルカメラの非使用時においては収縮して筐体内に格納される。これによって、デジタルカメラの小型化が実現される。
【００１２】
また、デジタルカメラの正面には、フラッシュ１０２、ＡＦ補助光ランプ１０３が配される。フラッシュ１０２は、暗所での撮影において閃光を発し、撮影光量の不足を補う。ＡＦ補助光ランプ１０３は、暗所でのオートフォーカス動作を円滑に行なうために補助光を発する。
【００１３】
また、デジタルカメラの正面左端には、ストラップを取り付けるストラップ取付金具１０４が設けられている。デジタルカメラのように持ち歩くことが前提の小型の電子機器においては、電子機器を落下させる危険性がある。ストラップ取付金具１０４にストラップを取り付けることによって、この危険性を少しでも軽減することができる。
【００１４】
図１（ｂ）に示すように、デジタルカメラの背面には、液晶表示パネル１０５が配設されている。液晶表示パネル１０５は、デジタルカメラの背面において大きな面積を占める。液晶表示パネル１０５には、撮影画像や各種操作画面が表示される。液晶表示パネル１０５の前面にはタッチパネルが配されており、押圧操作を受け付ける。タッチパネルは押圧操作されるので、タッチパネルを含む液晶表示パネル１０５には、一定の強度が求められる。
【００１５】
デジタルカメラの背面右端には、複数の操作ボタン１０６が配されている。操作ボタン１０６を操作することによって、撮影や再生等のデジタルカメラの動作モードを切り替えたり、不要な撮影画像を削除したり、液晶表示パネル１０５に表示される各種操作画面にしたがってデジタルカメラの各種設定を変更したりすることができる。
【００１６】
図１（ｃ）に示すように、デジタルカメラの上面には、スライド式の電源スイッチ１０７が配されている。また、デジタルカメラの上面には、シャッターボタン１０８とズームリング１０９が配されている。シャッターボタン１０８を押圧操作することによって、静止画や動画を撮影することができる。ズームリング１０９は、シャッターボタン１０８の周囲に配され、シャッターボタン１０８を中心として回転させることができる。ズームリング１０９を回転操作すると、ズーム倍率が変化する。このとき、レンズ鏡筒１０１の延伸突出の程度が変化する。ズーム倍率が大きいときは、レンズ鏡筒１０１の延伸突出の程度が大きくなり、ズーム倍率が小さいときは、レンズ鏡筒１０１の延伸突出の程度が小さくなる。
【００１７】
また、デジタルカメラの上面には、スピーカ孔１１０が設けられている。デジタルカメラは、シャッターボタン１０８に対する押圧操作や操作ボタン１０６による各種操作を受け付けたときに内蔵スピーカから電子音を発する。内蔵スピーカが発する電子音は、スピーカ孔１１０から外部に放出される。
【００１８】
図１（ｄ）に示すように、デジタルカメラの底面には、デジタルカメラの内部に設けられた収納部を開閉するバッテリ蓋１１１が設けられている。バッテリ蓋１１１は、図面手前側に開閉可能であって、収納部内には、バッテリとメモリカードが収納される。デジタルカメラの底面右端には、デジタルカメラを三脚等に固定するための三脚ネジ穴１１２が設けられている。
【００１９】
図１（ｅ）に示すように、デジタルカメラの左側面には、デジタルカメラの左側部に設けられた種々の端子を隠蔽する端子蓋１１３が設けられている。端子蓋１１３は、紙面手前側に開閉可能である。これらの端子は、デジタルカメラを外部機器に接続するためのものであり、例えば、デジタルカメラをパーソナルコンピュータに接続し、撮影画像をパーソナルコンピュータに転送するためのＵＳＢ（Ｕｎｉｖｅｒｓａｌ  Ｓｅｒｉａｌ  Ｂｕｓ）端子、撮影画像を大画面のテレビ受像機に表示させるためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子である。
【００２０】
２．ユニット構成
図２は、本発明の実施の形態に係るデジタルカメラの第１の分解斜視図である。デジタルカメラは、概略、背面筐体１１４、液晶表示パネルユニット１１５、スイッチ基板１１６、正面筐体１３０に内包された本体ユニット１１７から構成される。
【００２１】
背面筐体１１４は、アルミ、ステンレス等の金属によって成型される。液晶表示パネルユニット１１５は、バックライト、液晶表示パネル、タッチパネルを積層した状態で収納される。スイッチ基板１１６には、操作ボタン１０６に対する押圧操作やスライド操作を電気信号に変換する複数のスイッチが実装されている。本体ユニット１１７は、レンズ鏡筒１０１、バッテリとメモリカードを収納する収納部、電源回路と制御回路と信号処理回路を実装したメイン基板１１８、アルミやステンレス等の金属によって成型され、板金１１９等を内包する正面筐体１３０によって構成される。なお、背面筐体１１４と正面筐体１３０は、樹脂等で成型されていてもよい。
【００２２】
スイッチ基板１１６は、フレキシブル基板によって構成された延伸部１１６ｓを有している。メイン基板１１８には、コネクタ１１８ｓが実装されている。スイッチ基板１１６の延伸部１１６ｓは、メイン基板１１８のコネクタ１１８ｓに接続される。本体ユニット１１７の所定位置には、スイッチ基板１１６が載置される基台が位置決めピンによって取り付けられている。このような構成により、操作ボタン１０６に対して押圧操作やスライド操作がなされると、操作ボタン１０６に対する押圧操作やスライド操作に対応する電気信号がメイン基板１１８に実装された制御回路に送られる。
【００２３】
図３は、本発明の実施の形態に係るデジタルカメラの第２の分解斜視図である。図３においてはスイッチ基板１１６が本体ユニット１１７に取り付けられている。
【００２４】
液晶表示パネルユニット１１５は、板金１１９に設けられたビス孔１２０にビス１２２によって固定される。板金１１９のビス孔１２０は、液晶表示パネルユニット１１５を板金１１９に固定するときの位置決め孔を兼ねている。これにより、ビス１２２のみで液晶表示パネルユニット１１５を板金１１９に固定することができるとともに適正に位置決めすることもできる。液晶表示パネルユニット１１５の構成の詳細については後述する。
【００２５】
液晶表示パネルユニット１１５からは、バックライトに電源と調光制御信号を送るためのバックライト用フレキシブルケーブル１１５ａ１と、液晶表示パネルに電源と映像信号を送るための液晶表示パネル用フレキシブルケーブル１１５ｂ１と、タッチパネルの押圧信号を出力するタッチパネル用フレキシブルケーブル１１５ｃ１が延出する。バックライト用フレキシブルケーブル１１５ａ１の端子は、スイッチ基板１１６に実装されたコネクタ１１６ａに接続される。液晶表示パネル用フレキシブルケーブル１１５ｂ１の端子は、メイン基板１１８に実装されたコネクタ１１８ｂに接続される。タッチパネル用フレキシブルケーブル１１５ｃ１の端子は、スイッチ基板１１６に実装されたコネクタ１１６ｃに接続される。
【００２６】
これらは以下のような順序で組み立てられる。まず、液晶表示パネル用フレキシブルケーブル１１５ｂ１の端子を、メイン基板１１８のコネクタ１１８ｂに接続する。次に、液晶表示パネルユニット１１５を板金１１９のビス孔１２０にビス１２２によって固定する。次に、スイッチ基板１１６の延伸部１１６ｓをメイン基板１１８のコネクタ１１８ｓに接続する。次に、スイッチ基板１１６を本体ユニット１１７の所定の位置に取り付ける。最後に、バックライト用フレキシブルケーブル１１５ａ１の端子及びタッチパネル用フレキシブルケーブル１１５ｃ１の端子をそれぞれスイッチ基板１１６のコネクタ１１６ａ及びコネクタ１１６ｃに接続する。
【００２７】
図４は、本発明の実施の形態に係るデジタルカメラの第３の分解斜視図である。図４においては液晶表示パネルユニット１１５が本体ユニット１１７に取り付けられている点である。背面筐体１１４を本体ユニット１１７に取り付けるとデジタルカメラが完成する。
【００２８】
３．断面
図５は、本発明の実施の形態に係るデジタルカメラの左右方向に切断した断面図である。図５（ａ）は断面斜視図であり、図５（ｂ）は断面図である。いずれもデジタルカメラの上面近傍部分における同じ断面位置での断面を示している。デジタルカメラの内部の右側部分（図５においては左側部分）の多くをレンズ鏡筒１０１が占め、内部の左側部分（図５においては右側部分）の多くをバッテリ１２１が占める。図６は、本発明の実施の形態に係るデジタルカメラの上下方向に切断した断面図である。図６（ａ）は断面斜視図であり、図６（ｂ）は断面図である。いずれもレンズ鏡筒１０１部分における同じ断面位置での断面を示している。
【００２９】
液晶表示パネルユニット１１５は、板金１１９上に載置される。液晶表示パネルユニット１１５のタッチパネル１１５ｃ(後述する）の四辺の表面側の端縁と、背面筐体１１４に設けられた開口部の端縁との間（図５（ａ）、（ｂ）に丸印Ａで示す箇所）には、隙間が設けられている。なお、この隙間は微小であるため図５（ａ）、（ｂ）にはあらわれていない。ここで、金属製の背面筐体１１４と液晶表示パネルユニット１１５の樹脂製のタッチパネル１１５ｃとは熱膨張係数が異なる。このため、高温時、金属はほとんど寸法の変化がないが、樹脂は膨張する。そのため、隙間が設けられていないと、高温時に背面筐体１１４と液晶表示パネルユニット１１５の組立てを行ったときに、タッチパネル１１５ｃが背面筐体１１４に乗り上げる虞がある。隙間を設けておくことにより、このような問題を防止することができる。液晶表示パネルユニット１１５の左辺の裏面側は、丸印Ｂに示すように板金１１９の段部によって位置決めされる。液晶表示パネルユニット１１５の右辺の裏面側は、丸印Ｃに示すように背面筐体１１４内の構造物によって位置決めされる。液晶表示パネルユニット１１５の上辺の裏面側は、丸印Ｄに示すように板金１１９の折り曲げ部によって位置決めされる（図６（ａ）、（ｂ）参照）。液晶表示パネルユニット１１５の下辺の裏面側は、丸印Ｅに示すように背面筐体１１４内の構造物によって位置決めされる（図６（ｂ）参照）。
【００３０】
このように液晶表示パネルユニット１１５が位置決めされた状態において、液晶表示パネルユニット１１５を構成する枠体１１５ｄの底面１１５ｄ１における液晶表示パネルとは反対の面に設けられた３箇所のツメ１１５ｄ１１（後述の図８（ｂ）、図１０（ｂ）参照）が、板金１１９に設けられた３箇所の孔部１１９ａ（図３参照）に、係合する。これにより、ビス１２２が締結されることにより背面筐体１１４が固定されるまでの間、液晶表示パネルユニット１１５を板金１１９に仮固定して、液晶表示パネルユニット１１５の位置を保持することができる。
【００３１】
４．液晶表示パネルユニット
４−１．斜視図
図７は、本発明の実施の形態に係る液晶表示パネルユニット１１５の分解斜視図である。図７（ａ）は、液晶表示パネルユニット１１５を、バックライト１１５ａを載置した枠体１１５ｄと、液晶表示パネル１１５ｂと、タッチパネル１１５ｃに分解した状態を示す。図７（ｂ）は、液晶表示パネルユニット１１５を、バックライト１１５ａと液晶表示パネル１１５ｂを載置した枠体１１５ｄと、タッチパネル１１５ｃに分解した状態を示す。図７（ｃ）は、液晶表示パネルユニット１１５の完成品の斜視図である。
【００３２】
液晶表示パネルユニット１１５は、金属によって成型された枠体１１５ｄにバックライト１１５ａ、液晶表示パネル１１５ｂ、タッチパネル１１５ｃを積層した状態で収納することにより構成される。
【００３３】
４−２．断面図
図８は、本発明の実施の形態に係る液晶表示パネルユニット１１５の左右方向断面図である。図８（ａ）は断面斜視図であり、図８（ｂ）は断面図である。いずれも液晶表示パネルユニット１１５の上部における同じ断面位置での断面を示している。
【００３４】
液晶表示パネルユニット１１５は、金属によって成型された枠体１１５ｄにバックライト１１５ａ、液晶表示パネル１１５ｂ、タッチパネル１１５ｃを積層した状態で収納することにより構成される。液晶表示パネル１１５ｂは、背面ガラス基板１１５ｂ２と前面ガラス基板１１５ｂ３によって液晶層１１５ｂ４を挟むように構成される。背面ガラス基板１１５ｂ２には水平方向偏光フィルタが、前面ガラス基板１１５ｂ３には垂直方向偏光フィルタが、それぞれ取り付けられている。
【００３５】
図９は、本発明の実施の形態に係る液晶表示パネルユニット１１５の左右方向断面における左側の端部の拡大図である。なお、図示しないが右側の端部も左側の端部と同様の構造を有している。枠体１１５ｄは、底面部１１５ｄ１と、底面部１１５ｄ１の端縁から立ち上がる側面部１１５ｄ２とを有し、上面が開口した箱状の形状を有する。側面部１１５ｄ２は、その上部が外方に突出するように、段状に形成されており、下部側面部１１５ｄ２１と、下部側面部１１５ｄ２１よりも外側に位置する上部側面部１１５ｄ２２と、これらの側面部１１５ｄ２１、１１５ｄ２２を接続する丸印Ｆに示す段差部１１５ｄ２３とを有している。底面部１１５ｄ１と側面部１１５ｄ２とで形成される内部空間のうち、底面部１１５ｄ１と下部側面部１１５ｄ２１とで形成される空間（丸印Ｆに示す段差部１１５ｄ２３よりも底面部１１５ｄ１側の空間）が第１収納部Ｘ１を構成し、第１収納部Ｘ１以外の空間（丸印Ｆに示す段差部１１５ｄ２３よりも枠体１１５ｄの開口側の空間）が第２収納部Ｘ２を構成する。第１収納部Ｘ１には、バックライト１１５ａと液晶表示パネル１１５ｂが収納される。第２収納部Ｘ２には、タッチパネル１１５ｃが収納される。段差部１１５ｄ２３には、タッチパネル１１５ｃの端部が両面テープ１１５ｇを介して貼り付けられる。この収納状態において、タッチパネル１１５ｃの端部が上部側面部１１５ｄ２２に当接する。これにより、タッチパネル１１５ｃが枠体１１５ｄ及び液晶表示パネル１１５ｂに対して位置決めされる。
【００３６】
タッチパネル１１５ｃは、液晶表示パネル１１５ｂよりも左右方向及び上下方向の長さがそれぞれ長くなっている。これは、タッチパネル１１５ｃを液晶表示パネル１１５ｂに積層した状態において、液晶表示パネル１１５ｂの表示部のほぼ全域を透視可能とするためである。タッチパネル１１５ｃは、丸印Ｆに示す段差部１１５ｄ２３と液晶表示パネル１１５ｂの周縁に両面テープ１１５ｇによって接着固定される。このとき、液晶表示パネル１１５ｂとタッチパネル１１５ｃの間には、空隙１１５ｆが形成される。
【００３７】
図１０は、本発明の実施の形態に係る液晶表示パネルユニット１１５の上下方向断面図である。図１０（ａ）は断面斜視図であり、図１０（ｂ）は断面図である。いずれもレンズ鏡筒１０１近傍における同じ断面位置での断面を示している。
【００３８】
図１０に示す本発明の実施の形態に係る液晶表示パネルユニット１１５では、左辺及び右辺の側壁には丸印Ｆに示す段差部１１５ｄ２３が設けられているが上辺及び下辺の側壁には同様の段差部が設けられていない。
【００３９】
５．効果
５−１．組立時の効果
従来の表示パネルユニットとして、例えば、バックライトと液晶表示パネルのみを枠体に収納してユニット化し、このユニットの液晶表示パネルにタッチパネルを別工程で貼り付けたものが存在する。しかし、この従来のものでは、液晶表示パネルにタッチパネルを貼り付ける際、タッチパネルの位置決めにおいて治具等を用いる必要があった。
【００４０】
ユーザがタッチパネルを介して、液晶表示パネルに表示されたある対象にタッチしたときに、液晶表示パネルにおけるタッチされた対象の位置座標と、タッチパネルからの押圧信号が示す位置座標とが、正確に対応する必要がある。したがって、タッチパネルは、液晶表示パネルに対して正確に位置決めされる必要がある。
【００４１】
本発明の実施の形態に係る液晶表示パネルユニット１１５は、枠体１１５ｄの第１収納部Ｘ１にバックライト１１５ａと液晶表示パネル１１５ｂを収納し、枠体１１５ｄの第２収納部Ｘ２にタッチパネル１１５ｃを収納するようにした。これによって、液晶表示パネル１１５ｂは枠体１１５ｄの第１収納部Ｘ１によって位置決めされ、タッチパネル１１５ｃは枠体１１５ｄの第２収納部Ｘ２によって位置決めされる。したがって、治具等を用いることなくタッチパネル１１５ｃを液晶表示パネル１１５ｂに対して容易かつ正確に位置決めすることができる。
【００４２】
さらに、本発明の実施の形態に係る液晶表示パネルユニット１１５では、枠体１１５ｄを金属製とした。また、枠体１１５ｄの側面部１１５ｄ２を、その上部が外方に突出するように、段状に形成して、タッチパネル１１５ｃを収納する第２収納部Ｘ２を設けた。これにより、第２収納部Ｘ２は、液晶表示パネルユニット１１５を本体ユニット１１７に取り付けるときの位置決めを容易にする。また、タッチパネル１１５ｃの表示面裏面方向（前後方向。レンズの光軸方向）の位置決めをすることができる。
【００４３】
枠体を樹脂等で成型し、第２収納部用の切欠きを設けることも可能である。しかし、近時のデジタルカメラの小型化と液晶表示パネルの大型化にともない、液晶表示パネルの周囲を構成する部分（いわゆる「額縁」といわれる部分）は、できる限り狭小にしたいという要求がある。つまり、枠体をできる限り狭小にしたいという要求がある
【００４４】
本発明の実施の形態に係る液晶表示パネルユニット１１５は、枠体１１５ｄを金属によって成型したので、枠体１１５ｄそのものを薄くすることができる。さらに、丸印Ｆに示す段差部１１５ｄ２３は、枠体１１５ｄの左辺及び右辺の側面部にのみ設けたので、液晶表示パネルユニット１１５の上下方向の長さを必要以上に長くすることがない。もちろん、上下方向にスペース上の余裕があるのであれば、上辺及び下辺の側面部に段差部を設けても構わない。左右の辺に段差部を設けるか上下の辺に段差部を設けるか、あるいは左右の辺と上下の辺の両方に段差部を設けるかは、本発明の実施の形態に係る液晶表示パネルユニットを採用する電子機器の特性に合わせて適宜決定すればよい。
【００４５】
また、両面テープ１１５ｇを利用して、液晶表示パネル１１５ｂとタッチパネル１１５ｃを接合しているので、液晶表示パネル１１５ｂとタッチパネル１１５ｃの間に、両面テープ１１５ｇの厚みの分の空隙１１５ｆ（図８（ｂ）、図９、図１０（ｂ）参照）が形成される。したがって、タッチパネル１１５ｃに対する押圧操作力が液晶表示パネル１１５ｂに直接加わることを緩和できる。
【００４６】
組立に関するこれらの効果は、本発明の実施の形態に係るデジタルカメラの生産や修理においても有効である。
【００４７】
さらに、タッチパネルは透明であるから、液晶表示パネルとタッチパネルの間に塵埃が侵入するとタッチパネルを通して塵埃が視認されてしまうという問題がある。これは、デジタルカメラの商品としての品質の低下と液晶表示パネルの視認性の低下をもたらす。従来においては、図１２に示すように、液晶パネル２１５ｂとバックライト２１５ａについては枠体２１５ｄに収納されてユニット化されていたが、タッチパネル２１５ｃはユニットに含まれていない。そのため、ユニット化された液晶パネル２１５ｂにタッチパネル２１５ｃを別途貼り付ける必要があった。しかし、従来のような構造では、タッチパネル２１５ｃを、ユニット化された液晶パネル２１５ｂの単体に位置決めするのが困難であった。そのため、従来においては、液晶表示パネルユニットにタッチパネルを貼り付ける工程は、液晶表示パネルユニット１１５を本体ユニット１１７に取り付ける工程において背面筐体を組み付けつつ行う必要があった。したがって、従来においては、液晶表示パネルユニットにタッチパネルを貼り付ける工程は、液晶表示パネルユニット１１５を本体ユニット１１７に取り付ける工程とともにクリーンルームで行なう必要があった。
【００４８】
本発明の実施の形態に係る液晶表示パネルユニット１１５は、枠体１１５ｄの第１収納部Ｘ１にバックライト１１５ａと液晶表示パネル１１５ｂを収納し、枠体１１５ｄの第２収納部Ｘ２にタッチパネル１１５ｃを収納するようにした。これによって、液晶表示パネルユニット１１５を組み立てる工程のみをクリーンルームで行えばよく、液晶表示パネルユニット１１５を本体ユニット１１７に取り付ける工程をクリーンルームで行なう必要がなくなる。液晶表示パネルユニット１１５を組み立てる工程は、比較的小さなラインで行うことができる。したがって、必要なクリーンルームの規模を小さくできる。
【００４９】
５−２．金属の枠体による効果
タッチパネルは、押圧操作されることが前提であるから、これを受ける液晶表示パネルユニットには、一定の強度が求められる。
【００５０】
本発明の実施の形態に係る液晶表示パネルユニット１１５は、金属によって成型された枠体１１５ｄを採用し、板金１１９によって液晶表示パネルユニット１１５の全面を受けているので、タッチパネル１１５ｃの押圧操作に対しても十分な強度を確保することができる。枠体１１５ｄの側面部１１５ｄには、図９の丸印Ｆに示す段差部１１５ｄ２３が設けられているので、枠体１１５ｄの強度がさらに向上する。さらに、枠体１１５ｄの強度を適切に確保しつつ枠体１１５ｄを薄くすることができ、液晶表示パネルユニット１１５の大型化を回避することができる。
【００５１】
また、枠体１１５ｄと板金１１９を金属によって成型したので、枠体１１５ｄと板金１１９を電気的接地部材とすることもできる。これによって、デジタルカメラに対する静電気放電の電荷を効果的に吸収拡散し、メイン基板１１８に実装された電源回路、制御回路、信号処理回路等の破壊の危険性を低減することができる。また、メイン基板１１８に実装された電源回路、制御回路、信号処理回路等から輻射される電磁波を効果的に遮蔽することができる。したがって、デジタルカメラの外部に輻射される電磁波を低減することができる。さらに、枠体１１５ｄをデジタルカメラ内の撮像素子やメイン基板１１８に実装された制御回路、信号処理回路等が発生する熱を吸収放熱する放熱部材とすることもできる。
【００５２】
ところで、液晶表示パネルユニットに加わる外力は、タッチパネルの押圧操作によるもののみではない。デジタルカメラのように持ち歩くことが前提の小型の電子機器においては、ストラップを取り付けたとしても、落下の危険性を完全に払拭することはできない。特に、レンズ鏡筒が延伸突出し、かつレンズ鏡筒が下になった状態でデジタルカメラが落下した場合、その衝撃は、直接、液晶表示パネルユニットに加わることになる。
【００５３】
本発明の実施の形態に係るデジタルカメラにおいては、レンズ鏡筒１０１の背面側に、金属によって成型された枠体１１５ｄに内包された液晶表示パネルユニット１１５を配置する。これによって、レンズ鏡筒１０１を延伸突出し、かつレンズ鏡筒１０１が下になった状態でデジタルカメラが落下しても、液晶表示パネル１１５ｂが破損してしまう可能性を低減することができる。
【００５４】
ここで、バックライト１１５ａの構造の一例について説明する。図１１は、バックライト１１５ａの分解斜視図である。バックライト１１５ａは、光源１３５、導光板１３３、反射板１３４、導光板１３３、拡散板１３２、及びプリズムシート１３１を有している。これらの構成物品は、枠体１１５ｄの第１収納部Ｘ１に、反射板１３４、導光板１３３、拡散板１３２及び光源１３５、プリズムシート１３１の順で積層して収納される。枠体１１５ｄは、バックライト１１５ａの構成物品を収納し、バックライトを構成する種々の構成要素１３１〜１３４も枠体１１５ｄによって位置決めされる。本実施形態では、このようにしてバックライト１１５ａの構成物品を収納する枠体１１５ｄを利用して、タッチパネル１１５ｃを収納している。
【００５５】
５−３．その他
本発明の実施の形態に係る液晶表示パネルユニット１１５では、第１収納部Ｘ１に、バックライト１１５ａと液晶表示パネル１１５ｂを収納し、第２収納部Ｘ２に、タッチパネル１１５ｃを収納する。しかし、タッチパネル１１５ｃに代えて保護パネルを第２収納部Ｘ２に収納するようにしてもよい。これによって、タッチパネル１１５ｃを採用するデジタルカメラとこれを採用しないデジタルカメラを容易に作り分けることができる。さらに、タッチパネル１１５ｃに代えて反射防止パネルを第２収納部Ｘ２に収納するようにしてもよいし、３次元画像を表示するための液晶シャッタを第２収納部Ｘ２に収納するようにしてもよい。
【００５６】
同様に、液晶表示パネル１１５ｂに代えて有機ＥＬパネルを第１収納部Ｘ１に収納するようにしてもよい。有機ＥＬパネルは、自発光の表示パネルであるから、バックライト１１５ａは不要である。また、液晶表示パネルであっても透過型ではなく反射型の液晶表示パネルを採用する場合は、バックライト１１５ａは不要である。
【産業上の利用可能性】
【００５７】
本発明によれば、表示パネルの前面にタッチパネルが配設されたとしても、組立が容易であって品質を損なうこともない表示パネルユニットを備えた電子機器を提供することができるので、デジタルカメラ、デジタルビデオカメラ、ＰＤＡ（Ｐｅｒｓｏｎａｌ  Ｄｉｇｉｔａｌ  Ａｓｓｉｓｔａｎｔ）、フォトビューワ、ポータブルテレビ、携帯電話等、表示パネルを備えた電子機器に広く適用することができる。
【符号の説明】
【００５８】
１０１    レンズ鏡筒
１０２    フラッシュ
１０３    ＡＦ補助光ランプ
１０４    ストラップ取付金具
１０５    液晶表示パネル
１０６    操作ボタン
１０７    電源スイッチ
１０８    シャッターボタン
１０９    ズームリング
１１０    スピーカ孔
１１１    バッテリ蓋
１１２    三脚ネジ穴
１１３    端子蓋
１１４    背面筐体
１１５    液晶表示パネルユニット
１１５ａ    バックライト
１１５ａ１    バックライト用フレキシブルケーブル
１１５ｂ    液晶表示パネル
１１５ｂ１    液晶表示パネル用フレキシブルケーブル
１１５ｂ２    背面ガラス基板
１１５ｂ３    前面ガラス基板
１１５ｃ    タッチパネル
１１５ｃ１    タッチパネル用フレキシブルケーブル
１１５ｄ    枠体
１１５ｄ１    底面部
１１５ｄ１１    ツメ（３箇所）
１１５ｄ２    側面部
１１５ｄ２１    下部側面部
１１５ｄ２２    上部側面部
１１５ｄ２３    横面部（段差部）
１１６    スイッチ基板
１１６ａ    コネクタ
１１６ｃ    コネクタ
１１６ｓ    延伸部
１１７    本体ユニット
１１８    メイン基板
１１８ｂ    コネクタ
１１８ｓ    コネクタ
１１９    板金
１１９ａ    孔部（３箇所）
１２０    ビス孔
１２１    バッテリ
１３０    正面筐体
【図１】
2011257742.tif 000003
【図２】
2011257742.tif 000004
【図３】
2011257742.tif 000005
【図４】
2011257742.tif 000006
【図５】
2011257742.tif 000007
【図６】
2011257742.tif 000008
【図７】
2011257742.tif 000009
【図８】
2011257742.tif 000010
【図９】
2011257742.tif 000011
【図１０】
2011257742.tif 000012
【図１１】
2011257742.tif 000013
【図１２】
2011257742.tif 000014